(57)【要約】【課題】  フォーマットの種類の表示から再生するフォーマットまたはハイブリッドディスクのレイヤーの選択までの一連の操作を表示画面を切り替えずにすることができる記録媒体再生装置を提供する。【解決手段】  ビデオデータおよびオーディオデータのフォーマット情報を取得する取得手段と、取得したフォーマット情報を表示する表示手段と、表示されたフォーマット情報の中からビデオフォーマットおよびオーディオフォーマットを選択するフォーマット選択手段と、選択されたフォーマットのビデオデータおよびオーディオデータを再生する再生手段と、前記フォーマット選択手段により選択されたフォーマットのビデオデータおよびオーディオデータを再生しているとき、当該ビデオデータおよびオーディオデータのフォーマット情報を前記表示手段に表示する制御をする制御手段とを備える。【選択図】  図１
2009104706.tif 000002
【特許請求の範囲】
【請求項１】
複数のビデオフォーマットおよびオーディオフォーマットに対応した記録媒体再生装置において、
ビデオデータおよびオーディオデータのフォーマット情報を取得する取得手段と、
前記取得手段が取得したフォーマット情報を表示する表示手段と、
前記表示手段により表示されたフォーマット情報の中からビデオフォーマットおよびオーディオフォーマットを選択するフォーマット選択手段と、
前記フォーマット選択手段により選択されたフォーマットのビデオデータおよびオーディオデータを再生する再生手段とを備えることを特徴とする記録媒体再生装置。
【請求項２】
請求項１に記載の記録媒体再生装置において、
前記再生手段が前記フォーマット選択手段により選択されたフォーマットのビデオデータおよびオーディオデータを再生しているとき、当該ビデオデータおよびオーディオデータのフォーマット情報を前記表示手段に表示する制御をする制御手段とを備えることを特徴とする記録媒体再生装置。
【発明の詳細な説明】
【技術分野】
【０００１】
本発明は、複数種類のフォーマットのビデオデータやオーディオデータが記録された記録媒体を再生することができる記録媒体再生装置に関する。
【背景技術】
【０００２】
ビデオデータやオーディオデータが記録可能な記録媒体としては、ＣＤ、ＣＤ−ＲＯＭ、スーパーオーディオＣＤ、ＤＶＤや次世代ＤＶＤ等がある。また、ビデオデータやオーディオデータには、さまざまなフォーマットがあり、記録媒体の種類に応じたフォーマットで記録されている。例えば、スーパーオーディオＣＤは、２チャンネル、マルチチャンネルおよびスーパーオーディオＣＤフォーマットの３種類のオーディオデータのフォーマットがある。また、次世代ＤＶＤのブルーレイディスクやＨＤ ＤＶＤでは、ＣＤやＤＶＤとのハイブリッドディスクにすることも可能となる。
【０００３】
さまざまなフォーマットで記録された記録媒体を再生することができる再生装置もあり、このような再生装置では、再生する記録媒体の種類やフォーマットの種類をディスプレイ等に表示することができる（例えば、特許文献１参照）。
【０００４】
【特許文献１】特開２００４−２０６８２４号公報
【発明の開示】
【発明が解決しようとする課題】
【０００５】
ユーザは、記録媒体の種類やフォーマットの種類を確認し、再生したいフォーマットまたはハイブリッドディスクの場合はレイヤーを選択する操作をする。この選択操作をするために、ユーザは、ディスプレイに表示された記録媒体の種類やフォーマットの種類の表示からフォーマットやレイヤーを選択する選択画面に切り替える操作をして、この選択画面上でフォーマットやレイヤーを選択する。
このように、従来の再生装置では、記録媒体の種類やフォーマットの種類の表示から、再生するフォーマットまたはハイブリッドディスクのレイヤーを、表示画面を切り替えることなく直接選択することができなかった。
【０００６】
本発明は、上記の課題を解決するためになされたものであり、フォーマットの種類の表示から再生するフォーマットまたはハイブリッドディスクのレイヤーの選択までの一連の操作を表示画面を切り替えずにすることができる記録媒体再生装置を提供することを目的とする。
【課題を解決するための手段】
【０００７】
上記の課題を解決するために、本発明における記録媒体再生装置は、複数のビデオフォーマットおよびオーディオフォーマットに対応した記録媒体再生装置において、ビデオデータおよびオーディオデータのフォーマット情報を取得する取得手段と、前記取得手段が取得したフォーマット情報を表示する表示手段と、前記表示手段により表示されたフォーマット情報の中からビデオフォーマットおよびオーディオフォーマットを選択するフォーマット選択手段と、前記フォーマット選択手段により選択されたフォーマットのビデオデータおよびオーディオデータを再生する再生手段とを備えることを特徴とする。
また、上記の記録媒体再生装置において、前記再生手段が前記フォーマット選択手段により選択されたフォーマットのビデオデータおよびオーディオデータを再生しているとき、当該ビデオデータおよびオーディオデータのフォーマット情報を前記表示手段に表示する制御をする制御手段とを備えることを特徴とする。
【発明の効果】
【０００８】
本発明によれば、フォーマットの種類の表示から再生するフォーマットまたはハイブリッドディスクのレイヤーの選択までの一連の操作を表示画面を切り替えずにすることができる記録媒体再生装置を提供することができる。
【発明を実施するための最良の形態】
【０００９】
以下、本発明の実施の形態を図面に基づいて説明する。
図１は、本発明の一実施例である記録媒体再生装置の構成を示すブロック図である。図１に示すように、本実施例の記録媒体再生装置１は、ターンテーブル２、スピンドルモータ３、サーボ制御部４、ピックアップ５、再生アンプ６、分離部７、オーディオデコーダ部８、オーディオ出力部９、ビデオデコーダ部１０、ビデオ出力部１１、制御部１２、アプリケーションブロック部１３、フォーマット選択部１４、表示部１５を備える。
【００１０】
スピンドルモータ３に固定されたターンテーブル２には、ＣＤやＤＶＤ等の記録媒体を装着する。再生開始の指示があると、サーボ制御部４は、スピンドルモータ３を所定の線速度で回転駆動させる制御をする。また、サーボ制御部４は、ピックアップ５からのレーザ光が記録媒体のピット列に正しく追随し、ピット上に合焦するように、図示しないトラッキングサーボ回路とフォーカスサーボ回路を制御する。ピックアップ５により読み取られたデータは、再生アンプ６により波形整形及び増幅され分離部７に入力される。分離部７は、再生アンプ６から入力されたデータをビデオデータとオーディオデータに分離する。
【００１１】
オーディオデコーダ部８は、複数のフォーマット（例えば、DOLBY DIGITAL（登録商標）、dts（登録商標）、LPCM、PPCM、mp3等）のオーディオデータをデコードすることができる。オーディオデコーダ部８によりデコードされたオーディオデータは、オーディオ出力部９に備えられた図示しないデジタル出力端子からＡＶアンプのデジタル入力端子に入力される。また、オーディオデコーダ部８は、デコードしたオーディオデータを各チャンネル（例えば、５．１ｃh）のオーディオデータに分離する。各チャンネルに分離されたオーディオデータは、オーディオ出力部９によりアナログ信号に変換され、オーディオ出力部９に備えられた図示しないアナログ出力端子からＡＶアンプのアナログ入力端子に入力される。
【００１２】
ビデオデコーダ部１０は、MPEG（Moving Picture Experts Group）方式等でフォーマットされたビデオデータをデコードする。ビデオデコーダ部１０によりデコードされたビデオデータは、ビデオ出力部１１に入力される。ビデオ出力部１１は、図示しない出力端子を備え、表示装置に入力されたビデオデータを出力する。また、ビデオデコーダ部１０、制御部１２の制御によりオンスクリーンディスプレイ信号を生成する。
【００１３】
制御部１２は、本実施例の記録媒体再生装置１を統括的に制御する。アプリケーションブロック部１３は、上述したオーディオデコーダ部８とビデオデコーダ部１０を備える。フォーマット選択部１４は、ビデオフォーマットやオーディオフォーマットを選択する。このフォーマット選択部１４は図示しない操作部に備えられ、この操作部には、フォーマット選択部１４の他に記録媒体再生装置１の電源をオンオフする電源ボタンや音量調整ボタン等の操作ボタンを備える。表示部１５は、本実施例の記録媒体再生装置１の動作状態を表示する。操作部と表示部１５は、記録媒体再生装置１のフロントパネルに設けられ、また、記録媒体再生装置１に付属するリモートコントローラに設けてもよい。
【００１４】
次に、本実施例の記録媒体再生装置において、フォーマットの種類の表示から再生するフォーマットまたはハイブリッドディスクのレイヤーの選択までの一連の操作について説明する。図２は、フォーマットの種類の表示から再生するフォーマットまたはハイブリッドディスクのレイヤーの選択までの一連の動作を説明する図である。
【００１５】
ターンテーブル２にＣＤ、ＣＤ−ＲＯＭ、スーパーオーディオＣＤ、ＤＶＤ、次世代ＤＶＤのブルーレイディスクやＨＤ ＤＶＤ等の記録媒体がセットされると、記録媒体再生装置１は、セットされた記録媒体からビデオおよびオーディオのフォーマット情報を読み出す。図２に示すように、読み出されたフォーマット情報は、アプリケーションブロック部１３でデコードされる。このように、アプリケーションブロック部１３は、記録媒体からフォーマット情報を取得する取得手段となる。デコードされたフォーマット情報は、制御部１２のオンスクリーンディスプレイ要求により、表示部１５や記録媒体再生装置１に接続された表示装置にオンスクリーンディスプレイ表示される。
【００１６】
ユーザは、表示されたフォーマット情報を確認し、フォーマット選択部１４を操作して、表示されたフォーマット情報の中から再生するビデオフォーマットおよびオーディオフォーマットを選択する。フォーマット選択部１４には、カーソルを上下左右に移動させるカーソルボタンと選択した項目を決定するエンターボタンがある。ユーザは、このカーソルボタンを用いて再生するビデオフォーマットやオーディオフォーマットを選択し、エンターボタンを用いて選択したビデオフォーマットやオーディオフォーマットを決定する。
【００１７】
また、ターンテーブル２にセットされた記録媒体がハイブリッドディスクである場合は、フォーマット情報とともに、表示装置にそのハイブリッドディスクのレイヤーの種類も表示される。そして、ユーザは、ビデオフォーマットやオーディオフォーマットを選択するとともに、選択したフォーマットによりレイヤーも選択する必要がある場合にはレイヤーを選択する。
【００１８】
ユーザによりビデオフォーマット、オーディオフォーマットが選択されると、制御部１２は、選択されたビデオフォーマットのビデオデータ、選択されたオーディオフォーマットのオーディオデータを再生する制御をする。また、ユーザによりビデオフォーマット、オーディオフォーマット、レイヤーが選択されると、制御部１２は、選択されたレイヤーにおいて、選択されたビデオフォーマットのビデオデータ、選択されたオーディオフォーマットのオーディオデータを再生する制御をする。
【００１９】
ビデオデータやオーディオデータを再生しているとき、制御部１２は、表示部１５に再生しているビデオデータ、オーディオデータのフォーマット情報やレイヤー情報を表示する制御をする。また、制御部１２は、ユーザの指示により、再生しているビデオデータ、オーディオデータのフォーマット情報やレイヤー情報を表示装置にオンスクリーンディスプレイ表示するオンスクリーンディスプレイ要求をする。
【００２０】
本実施例の記録媒体再生装置１は、上述したようにターンテーブル２にセットされた記録媒体に記録されたビデオデータやオーディオデータのフォーマット情報を表示するが、図示しない入力端子から入力されたビデオデータやオーディオデータのフォーマット情報を表示するようにしてもよい。そして、表示されたフォーマット情報の中から再生するビデオフォーマットおよびオーディオフォーマットを選択できるようにしてもよい。
【００２１】
以上、本実施例の記録媒体再生装置1は、フォーマットの種類の表示から再生するフォーマットまたはハイブリッドディスクのレイヤーの選択までの一連の操作を表示画面を切り替えずにすることができる。このため、ユーザにとって、再生を希望するフォーマットの選択がし易くなる。また、ユーザの指示により、再生しているビデオデータ、オーディオデータのフォーマット情報やレイヤー情報を表示部１５に表示できるため、ユーザが再生しているフォーマットやレイヤーを確認することができる。
【図面の簡単な説明】
【００２２】
【図１】本実施例の記録媒体再生装置の構成を示すブロック図。
【図２】フォーマットの種類の表示から再生するフォーマットまたはハイブリッドディスクのレイヤーの選択までの一連の動作を説明する図。
【符号の説明】
【００２３】
１…記録媒体再生装置、２…ターンテーブル、３…スピンドルモータ、４…サーボ制御部、５…ピックアップ、６…再生アンプ、７…分離部、８…オーディオデコーダ部、９…オーディオ出力部、１０…ビデオデコーダ部、１１…ビデオ出力部、１２…制御部、１３…アプリケーションブロック部、１４…フォーマット選択部、１５…表示部
【図１】
2009104706.tif 000003
【図２】
2009104706.tif 000004